(57)【特許請求の範囲】
【請求項１】
基端側が梃子の力点となる長尺の操作レバーと、操作レバーの先端側に設けて側溝蓋の溝穴部から側溝内に挿入し、側溝蓋の一端側を押し上げ及び引き下げ操作する梃子の作用点となる係止保持部と、係止保持部の手前に設け、隣接した側溝蓋の上面に設置して梃子の支点となる支持脚部と、側溝蓋の底面に介在させて側溝蓋の移動を助勢するころ部材とを備え、前記係止保持部は操作レバーの軸線方向に対して上向きに突設すると共に、前記支持脚部は操作レバーの軸線方向に対して下向きに突設し、前記係止保持部は方形状の板であって、側溝蓋の溝穴部に挿入し得る厚みを有し、且つ側溝周縁部の清掃が可能な厚みに形成されており、前記係止保持部の基端側が前記操作レバーの先端に軸線方向に沿って連結されていることを特徴とした側溝蓋の着脱具。
【請求項２】
前記支持脚部は、前記操作レバーから突設した複数の脚片を有すると共に、各脚片を先端側で拡径状態にした請求項１に記載した側溝蓋の着脱具。
【請求項３】
前記操作レバーは、前記係止保持部を装着した主軸と、主軸の外周に嵌合して固着され、前記支持脚部を装着した長尺の補強パイプで形成した請求項１又は２に記載した側溝蓋の着脱具。
【請求項４】
前記操作レバーは、前記係止保持部を装着した主軸と、主軸の外周に嵌合して固着手段で着脱可能に連結し、前記支持脚部を装着した長尺の補強パイプで形成した請求項１又は２に記載した側溝蓋の着脱具。
【請求項５】
前記操作レバーは、前記係止保持部を装着した主軸と、主軸の外周に嵌合して固着手段で着脱可能に連結し、前記支持脚部を装着した短尺のスライドパイプで形成した請求項１又は２に記載した側溝蓋の着脱具。
【請求項６】
前記ころ部材は、円筒状のころパイプで形成すると共に、前記主軸の外周に嵌合して固着手段で着脱可能に装着した請求項３〜５の何れかに記載した側溝蓋の着脱具。
【発明の詳細な説明】
【０００１】
【発明の属する技術分野】
本発明は、道路脇などに敷設して排水を行う側溝に被着したコンクリート製の側溝蓋を、清掃や排水工事などを行う際に取外し及び取付けするのに用いる側溝蓋の着脱具に関する。
【０００２】
【従来の技術】
この種の着脱具としては、各種構造のものが提案されており、一例を挙げると特公平３−２５５７０号公報に開示されている着脱具のように、操作レバーの先端に側溝蓋の両端側を狭持する前後の爪片を備えた係止保持部を設け、この係止保持部を車輪の軸に取り付けたホルダーに枢着し、車輪の軸を梃子の支点に車台の踏み込みと操作レバーの押し引き操作で側溝蓋の着脱を行うものがある。
【０００３】
また、特公平６−６２２０５号公報に開示されている着脱具のように、操作レバーの先端に側溝蓋の一端側と嵌合する先端がＬ字状の当板による係止保持部を設けると共に、当板の基端に側溝蓋の上面に当接する水平当板を設け、水平当板を梃子の支点に操作レバーの押し引き操作で側溝蓋の着脱を行うものがある。
【０００４】
更に、実開平６−３２４１３号公報に開示されている着脱具のように、操作レバーの先端に側溝蓋の上面に当接する下向き円弧状の当接部を、その手前には側溝蓋の一端側と嵌合するＬ字状で基端を操作レバーに枢着した係止保持部を、更にその手前にＵ字状の支点部を設け、支点部を梃子の支点に操作レバーの押し引き操作で側溝蓋の着脱を行うものがある。
【０００５】
【発明が解決しようとする課題】
しかしながら、特公平３−２５５７０号公報に開示された着脱具の場合には、前後の爪片で狭持した側溝蓋を空中に持ち上げるので、着脱具に側溝蓋の荷重が加わって特に枢着部分などが損傷したり、狭持した側溝蓋が脱落する恐れがあると共に、作業者も大きな労力が必要であり、而も車輪があるために梃子の支点が移動しないように車台の踏み込み操作が必要である。
【０００６】
また、特公平６−６２２０５号公報に開示された着脱具の場合には、梃子作用を行う支点と力点が近接しているので、操作レバーを広い操作範囲で押し引き操作する必要があること、作業者が立って作業する位置と反対側に操作レバーが延在しているので、作業者は腰を屈めた無理な姿勢で作業を行う必要がある。
【０００７】
更に、実開平６−３２４１３号公報に開示された着脱具の場合には、Ｕ字状をした支点部が点接触状態で側溝蓋の上面に当接する構造であるから、側溝蓋の上面で前後にスリップしたり、左右に横揺れして支点が安定しない恐れがあると共に、係止保持部の基部が前後方向へ揺動可能であるために、先端側の当接部との連係動作が巧くいかないと側溝蓋の係止保持部から脱落させる恐れがある。
【０００８】
本発明では、上記３件を含めた従来技術には、安全で使い勝手も良く而も安価に提供できる側溝蓋の着脱具が見当たらなかったことを鑑み、この課題を解決し得る側溝蓋の着脱具を提供することを主たる目的とするものである。
【０００９】
【課題を解決するための手段】
本発明による側溝蓋の着脱具は、基端側が梃子の力点となる長尺の操作レバーと、操作レバーの先端側に設けて側溝蓋の溝穴部から側溝内に挿入し、側溝蓋の一端側を押し上げ及び引き下げ操作する梃子の作用点となる係止保持部と、係止保持部の手前に設け、隣接した側溝蓋の上面に設置して梃子の支点となる支持脚部と、側溝蓋の底面に介在させて側溝蓋の移動を助勢するころ部材とを備え、前記係止保持部は操作レバーの軸線方向に対して上向きに突設すると共に、前記支持脚部は操作レバーの軸線方向に対して下向きに突設する構成である。
【００１０】
この側溝蓋の着脱具では、操作レバーの軸線方向に対して、作用点となる係止保持部上向きに、支点となる支持脚部を下向きに、それぞれ突設させたことによって、力点となる操作レバーの基端側を操作して側溝蓋の一端側を持ち上げた際に、最初は側溝蓋の一端側を略垂直状態で持ち上げられるので、隣接した側溝蓋との干渉が少ない状態で持ち上げられる共に、素早く大きな傾斜角度に持ち上げると側溝蓋が手前にスライドし、他端側で隣接した側溝蓋との干渉も少ない状態となり、小さな作動力で容易に持ち上げることができる。
【００１１】
また、傾斜状態に持ち上げた側溝蓋はころ（転動体）部材を側溝蓋の下面側に介在させて安全且つ容易に所定の取り外し位置まで移動させることができると共に、側溝蓋を取り付ける際にもころ部材の助勢を得ながら、着脱具を用いて取り外し時とは逆の操作をおこなって、容易且つ安全に取り付けすることが可能であり、特に取り付けの最終段階では溝穴部に先端を挿入した操作レバーで抉るように操作し、側溝蓋をスライドさせながら側溝に被着することができる。
【００１２】
前記側溝蓋の着脱具における前記係止保持部は、側溝蓋の溝穴部に挿入し得る厚みを有すると共に、幅方向に沿った基端側が前記操作レバーの先端に連結され、幅方向に沿った基端側は側溝周縁部の清掃が可能な厚みに形成されている形態を採ることができる。
【００１３】
この側溝蓋の着脱具では、係止保持部の向きを側溝蓋の溝穴部に整合させて容易に挿入することができ、挿入した後に操作レバーを回転して支持脚部を隣接する側溝蓋の方向に向けると、係止保持部が着脱する側溝蓋の底面側に向き、着脱具を直ちに取り外し操作できる状態にすることが可能であり、また係止保持部を側溝周縁部の清掃具として活用することで、側溝蓋の取り外し操作を容易にすることができる。
【００１４】
前記側溝蓋の着脱具における前記支持脚部は、前記操作レバーから突設した複数の脚片を有すると共に、各脚片を先端側で拡径状態にした形態を採ることができ、これによって前後にスライドしたり横倒れしない状態で梃子の支点を隣接した側溝蓋の上面に設置することができる。
【００１５】
前記側溝蓋の着脱具における前記操作レバーは、前記係止保持部を装着した主軸と、主軸の外周に嵌合して固着され、前記支持脚部を装着した長尺の補強パイプで形成した形態を採ることができ、この補強パイプによって操作レバーを強固にすることができる。
【００１６】
前記側溝蓋の着脱具における前記操作レバーは、前記係止保持部を装着した主軸と、主軸の外周に嵌合して固着手段で着脱可能に連結し、前記支持脚部を装着した長尺の補強パイプで形成した形態を採ることができ、補強パイプを固着した先の実施形態の場合と同様に操作レバーを強固にすると共に、側溝蓋の厚みや側溝蓋の持ち上げ状態に適合させて、梃子の支点となる支持脚部の位置を可変させることができる。
【００１７】
前記側溝蓋の着脱具における前記操作レバーは、前記係止保持部を装着した主軸と、主軸の外周に嵌合して固着手段で着脱可能に連結し、前記支持脚部を装着した短尺のスライドパイプで形成した形態を採ることができ、補強パイプを着脱可能にした場合と同様に、側溝蓋の厚みや側溝蓋の持ち上げ状態に適合させて、梃子の支点となる支持脚部の位置を可変させることができる。
【００１８】
前記側溝蓋の着脱具における前記ころ部材は、円筒状のころパイプで形成すると共に、前記主軸の外周に嵌合して固着手段で着脱可能に装着した形態を採ることができ、側溝蓋を移動する際にころ（転動体）部材として利用するころパイプを、不使用時には主軸に装着して持ち運びを容易にし、使用時には取り外して使用できる。
【００１９】
【発明の実施の形態】
以下、本発明による側溝蓋の着脱具について、図示の実施形態に基づき詳細に説明するが、図１は本発明を適用した着脱具の全体を示す斜視図であり、図２は他の実施形態による着脱具の要部を示す斜視図であり、図３〜５は図１の着脱具の使用状態を示す説明図である。
【００２０】
着脱具１は、長軸で形成した基端側が梃子の力点となる操作レバー２と、操作レバー２の先端に設けた梃子の作用点となる係止保持部３と、係止保持部３から所定間隔をおいて手前に設けた梃子の支点となる支持脚部４とを備え、係止保持部３は操作レバー２の外周面から上向き方向に突設されると共に、支持脚部４は操作レバー２の外周面から下向き方向に突設されている。
【００２１】
図１の実施形態による着脱具１（１Ａ）では、中実の芯材５ａと中空の被覆材で形成した主軸５の外周に長尺の補強パイプ６を被着し、補強パイプ６を主軸５に溶接その他の固着手段で固着して一体の操作レバー２が形成され、係止保持部３は主軸５の先端側外周に溶接その他の固着手段で固着すると共に、支持脚部４は補強パイプ６の先端側外周に溶接その他の固着手段で固着している。
【００２２】
着脱具１は、操作レバー２の先端側外径及び係止保持部３の厚みが、側溝蓋に設けた切欠状の溝穴部から側溝内に挿入できる寸法で形成され、係止保持部３は先端を薄肉状又は先尖り形状にして、側溝周縁部の異物を除去する清掃が可能なようにすると共に、支持脚部４は複数の脚片４ａ，４ｂを拡径状態で突設させ、側溝蓋の上面に設置して使用する際に前後にスライドしたり、左右に傾かないようにしている。
【００２３】
着脱具１は、剛性の高い鋼材その他の金属材を用い、必要に応じて塗装やメッキなどの防錆処理を施し、また操作レバー２の後端側には側溝蓋を移動する際にころ（転動体）として利用するころ部材であるころパイプ７を、主軸５に対して着脱可能に装着して持ち運びを容易にしており、主軸５の後端には着脱可能な固着手段としてねじ部を設けて袋ナット８を螺合している。
【００２４】
次に、図２は他の実施形態による着脱具１（１Ｂ，１Ｃ）をそれぞれ示すが、図２（ａ）の着脱具１Ｂでは主軸５自体を操作レバー２として使用し、この主軸５による操作レバー２に係止保持部３と支持脚部４を一体に取り付けた構造であって、この着脱具１Ｂは補強パイプ６を使用しない分だけ安価にできる。
【００２５】
また、図２（ｂ）の着脱具１Ｃでは着脱具１Ｂの場合と同様に主軸５自体を操作レバー２として使用し、主軸５による操作レバー２に係止保持部３を一体に取り付けると共に、主軸５に嵌合させて締結ねじ９で着脱可能に取り付けた短尺なスライドパイプ９を設け、このスライドパイプ９に支持脚部４を取付けた構造であって、この着脱具１Ｃは側溝蓋の厚みや側溝蓋の持ち上げ状態に適合させて、梃子の支点となる支持脚部４の位置を可変させることができる。
【００２６】
なお、図示は省略するが、着脱具１Ｂ，１Ｃの主軸５に対して、着脱具１Ａと同様に補強パイプ（但し、支持脚部４のない）及びころパイプ７を装着した実施形態、着脱具１Ｃにおけるスライドパイプ９の後端側を延長させて長尺にし、スライドパイプ９を補強パイプと兼用させる実施形態、主軸５に被覆材５ｂを用いないで芯材５ａのみで形成する実施形態、などを採ることもできる。
【００２７】
特に、芯材５ａと被覆材５ｂとを一体に接合した二重構造の主軸５にすると、芯材５ａのみの場合に比べて剛性を著しく高めることができると共に、係止保持部３や支持脚部４を溶接によって一体に固着する際に、芯材５ａに直接溶接するよりも被覆材５ｂに溶接した方が容易で且つ強固な固着が可能であり、また袋ナット８を芯材５ａに形成したねじ部に螺着することができる。
【００２８】
次に、着脱具１を用いた側溝蓋の着脱操作を説明すると、図３で示すように側溝１１に被着された各側溝蓋１２（１２Ａ，１２Ｂ，１２Ｃ）には、方形状の切欠で形成された溝穴部１３が設けられているが、側溝蓋１２を取り外す前に着脱操作を容易にするために、着脱具１の係止保持部３を利用して側溝周縁部１４の異物を除去する清掃を行う。
【００２９】
次に、図４で示すように着脱具１の係止保持部３の向きを溝穴部１３に整合させた状態にし、溝穴部１３に係止保持部３を差し込んだ状態で操作レバー２を回転させ、図５（ａ）で示すように支持脚部４の中心が隣接する側溝蓋１２Ｂ側を向くようにすると共に、支持脚部４の前端が側溝蓋１２Ｂに当接する位置まで差し込むと、係止保持部３は側溝蓋１２の押し上げに適合した位置に、容易且つ正確に位置決めした状態でセットされる。
【００３０】
次に、力点となる操作レバー２の基端側を隣接する側溝蓋１２Ｂ側に引くと、支持脚部４の先端を支点として作用点である係止保持部３の先端によって、図５（ｂ）で示すように側溝蓋１２Ａが所定角度に傾斜した状態で押し上げられるので、予め主軸５から取り外しておいたころパイプ７を、図５（ｃ）で示すように側溝蓋１２Ａの押し上げで形成された開口部１５上に架設し、側溝蓋１２Ａの底面に噛ませる。
【００３１】
次に、持ち上げた側溝蓋１２Ａの一方端部を両側から手で支持し、着脱具１を取り外した後に側溝蓋１２Ａを隣接する側溝蓋１２Ｂ側に引き出しながら徐々に前倒し状態にさせ、図５（ｄ）で示すようにころパイプ７を一方端部が側溝蓋１２Ｂ上に載置させた状態で更に引き出し、側溝１１内の清掃作業に支障のない位置まで移動して開口部１５を広げる。
【００３２】
次に、清掃作業を終えた側溝１１に対して側溝蓋１２Ａを取付けする際には、図６（ａ）で示すようにころパイプ７を利用して側溝蓋１２Ａを開口部１５上に移動させた後に、側溝蓋１２Ａの一方端部を両側から手で支持してパイプ７を支点にして持ち上げ、図６（ｂ）で示すように側溝蓋１２Ａの他方端部が隣接する側溝蓋１２Ｃの一方端部に衝合する状態で傾斜させ、図６（ｃ）で示すように着脱具１を装着させる。
【００３３】
次に、図６（ｄ）で示すように操作レバー２を徐々に押し上げると、支持脚部４の先端を支点として係止保持部３が下方に回動しながら側溝蓋１２Ａの一方端部が引き下げられ、図６（ｅ）で示すように操作レバー２が直立した位置で先端側が溝穴部１３に挿通された状態になって、開口部１５に側溝蓋１２Ａが被着され、支持脚部４の中心が溝穴部１３と整合する位置に操作レバー２を回転させると、係止保持部３も溝穴部１３に整合して側溝１１内から着脱具１を引き抜くことができる。
【００３４】
着脱具１を用いた側溝蓋１２Ａの着脱操作では、操作レバー２の先端に設けた作用点となる係止保持部３が、支点となる支持脚部４とは反対側の上方に突設させたことにより、梃子作用で側溝蓋１２Ａを押し上げた際における一方端部は、最初は略垂直状態でその後に円弧状態の軌跡に沿って押し上げられると共に、押し上げられた際における傾斜角度も大きいので、前方に引き出されて他方端部側にも隣接した側溝蓋１２Ｃとの間に空隙を生ずる。
【００３５】
これらの作用によって、最初から円弧状態の軌跡に沿って押し上げられる従来技術の場合のように、各側溝蓋の接合端部が干渉して容易に持ち上げられなかった課題を解消することができ、操作レバー２の僅かな操作で側溝蓋１２Ａを大きく傾斜状態にできるので、作業能率の向上を図ることができると共に、ころパイプ７を併用して容易且つ安全に側溝蓋の着脱作業を行うことが可能である。
【００３６】
また、図６（ｄ）の状態から図６（ｅ）の状態に移行させようとした際に、側溝蓋１２Ａの一方端部が隣接する側溝蓋１２Ｂ上に乗り上げようとした場合に、操作レバー２を側溝蓋１２Ａ側へ押し出すことで梃子作用により側溝蓋１２Ｃ側にスライドさせ、正規な位置である図６（ｅ）の状態にすることができる。
【００３７】
なお、本発明による側溝蓋の着脱具は、以上の実施形態に限定されるものではなく、例えば操作レバー２を円柱状や円筒状以外の角柱状あるいは角筒状に形成したり、支持脚部４を図示の２点で支持する逆Ｖ字状のものに代えて、３点で支持する逆Ｗ字状のものその他の、前後のスライドや左右の横倒れをしない形状にすることなど、要旨の範囲内で各種の変形を採り得るものである。
【図面の簡単な説明】
【図１】本発明を適用した着脱具の一実施形態を示す全体斜視図である。
【図２】他の実施形態による着脱具を示す要部斜視図である。
【図３】図１の着脱具の使用状態を示す説明図であって、係止保持部を用いて側溝周縁部の清掃作業を行う説明図である。
【図４】図１の着脱具の使用状態を示す説明図であって、着脱具先端の係止保持部を側溝蓋の溝穴部に装着する説明図である。
【図５】図１の着脱具の使用状態を示す説明図であって、着脱具ところパイプを併用して側溝蓋の取り外し作業を行う各工程の説明図である。
【図６】図１の着脱具の使用状態を示す説明図であって、着脱具ところパイプを併用して側溝蓋の取付け作業を行う各工程の説明図である。
【符号の説明】
１  着脱具
２  操作レバー
３  係止保持部
４  支持脚部
５  主軸
５ａ  （主軸５の）芯材
５ｂ  （主軸５の）被覆材
６  補強パイプ
７  ころパイプ（ころ部材）
８  袋ナット
９  締結ねじ
１０  スライドパイプ
１１  側溝
１２  側溝蓋
１３  溝穴部
１４  側溝周縁部
１５  開口部
【図１】
0003691785.tif 000002
【図２】
0003691785.tif 000003
【図３】
0003691785.tif 000004
【図４】
0003691785.tif 000005
【図５】
0003691785.tif 000006
【図６】
0003691785.tif 000007